(57)【要約】【課題】本発明は、ゴルフプレイ中における危険球発生を他のプレイヤーに的確に報知でき、かつ、受信ユニット、発音手段の一体構造というシステム構成の簡略化を図った構成からなるゴルフ危険球の警告音発呼システムを提供する。【解決手段】本発明に係るゴルフ危険球の警告音発呼システムは、操作者による操作に応じてゴルフプレイ中における危険球の発生を意味する危険信号を無線送信する無線操作端末２１と、ゴルフ用のカート２に設けた危険信号を受信し、「ファー」又はこれに類似する危険を警告する音声情報及び発音条件情報からなる発音情報を生成し出力するカート２側の受信ユニット３と、音声情報、発音条件情報に基づき「ファー」又はこれに類似し発音条件に応じた音声を外部に発呼するスピーカ５とを有し、カート側の受信ユニットとスピーカとを一体型構成としたものである。【選択図】図１
2019096052.tif 000002
【特許請求の範囲】
【請求項１】
操作者による操作に応じてゴルフプレイ中における危険球の発生を意味する音声を外部に発呼するゴルフ危険球の警告音発呼システムであって、
操作者による操作に応じてゴルフプレイ中における危険球の発生を意味する危険信号を無線送信する無線操作端末と、
ゴルフ用のカートに設けた前記危険信号を受信し、「ファー」又はこれに類似する危険を警告する音声情報及び発音条件情報からなる発音情報を生成し出力するカート側の受信ユニットと、
前記音声情報、発音条件情報に基づき「ファー」又はこれに類似し発音条件に応じた音声を外部に発呼する発音手段と、
を有し、
前記カート側の受信ユニットと前記発音手段とを一体型構成としたことを特徴とするゴルフ危険球の警告音発呼システム。
【請求項２】
操作者による操作に応じてゴルフプレイ中における危険球の発生を意味する音声を外部に発呼するゴルフ危険球の警告音発呼システムであって、
操作者が片手で操作可能に構成した小型の筐体を形成し、この筐体に、無線操作端末自体の動作制御行う端末制御部と、カート側の受信側無線送受信との間で無線交信する端末無線情報送受信部と、危険球発生時に操作者が操作する危険ボタンと、を具備し、前記危険ボタンの操作に応じて端末無線情報送信部から危険信号を無線送信可能な無線操作端末と、
ゴルフ用のカートに設けられ、前記無線操作端末から前記危険信号を受信する受信側無線送受信部と、「ファー」又はこれに類似する危険を警告する複数種の音声を発生するための音声情報を記憶する音声情報記憶部と、前記複数種の音声情報を切り替える切り替えスイッチと、前記音声情報に関する発音条件情報であって、発呼回数、発呼時間、発呼音量からなる発音条件情報を記憶する発音条件情報記憶部と、発呼すべき音声情報の複数種の主周波数帯域情報を記憶する主周波数帯域情報記憶部と、発呼すべき音声情報に付加する大小に異なる複数種の残響音情報を記憶する残響音情報記憶部と、前記危険信号の受信時に、前記切り替えスイッチにて選定される発呼すべき音声情報についての発音条件情報を決定し、かつ、発呼すべき音声情報の主周波数帯域、付加する主周波数帯域の大小を決定する発音情報生成処理部と、前記発音情報生成処理部による処理結果に応じた「ファー」又はこれに類似する危険を警告する決定された主周波数帯域を持ち決定された残響音情報が付加された前記音声情報、及び、前記発音条件情報からなる発音情報を出力する発音情報出力部と、
を有するカート側の受信ユニットと、
前記発音情報出力部から伝送される音声情報、発音条件情報を基に前記「ファー」又はこれに類似する音声を前記発音条件で危険球の警告音として外部に発呼するホーン型のスピーカと、
前記カート側の受信ユニットに所要の電力供給を行うバッテリーと、
を有し、
前記カート側の受信ユニットと前記スピーカとを一体型構成としたことを特徴とするゴルフ危険球の警告音発呼システム。
【請求項３】
前記バッテリーは、持ち運び可能な肩掛けバック式に構成したことを特徴とする請求項２記載のゴルフ危険球の警告音発呼システム。
【発明の詳細な説明】
【技術分野】
【０００１】
本発明は、ゴルフ危険球の警告音発呼システムに関し、詳しくは、ゴルフプレイ中における危険球発生を他のプレイヤーに的確に報知でき、かつ、受信ユニット、発音手段の一体構造というシステム構成の簡略化を図ったゴルフ危険球の警告音発呼システムに関するものである。
【背景技術】
【０００２】
ゴルフ場でのゴルフプレイ中において、隣接するホールを回る他のパーティや、同一ホールを回る先行パーティに向けてミスショットによる危険球を打ち込んでしまう場合、同行するキャディ、同伴競技者が「ファー」と大声で叫んで危険状態を報知しているのが実情である。
【０００３】
最近ではキャディが同行しないセルフ方式のプレイスタイルも増加しており、このような場合にはミスショットしたプレイヤーや同伴プレイヤーが大声で叫び危険状態を報知する必要が生じる。
【０００４】
しかし、ミスショットしたプレイヤーや同伴プレイヤーによる大声の発呼のタイミングが遅れたり、発呼の音量が小さかったりして的確に危険状態の報知を実行できず、隣接するホールを回る他のパーティや同一ホールを回る先行パーティのプレイヤーに危険球が当たってしまうという危険な事態を招来するという問題がある。
【０００５】
特許文献１には、複数のカート間でゴルフに関する楽音や音声等の種々の情報を送受信可能に構成するとともに、あるホールにおいてミスショットが発生し危険球が飛び出した場合に、当該ホールの同伴プレイヤーがリモコンを操作し、無線で危険信号を当該ホールにいるカートに設けた発音装置に送信し、その発音装置は危険信号を受信して他のホールにいるカートに設けた発音装置に危険信号を無線送信し、当該発音装置は前記危険信号を受信してこれを基に警告音等を発音する機能を一部に含むように構成し、これにより、他のホール等にいるプレイヤーに危険報知を行うこともできるようにした情報発音装置が開示されている。
【０００６】
しかし、この特許文献１の情報発音装置の場合、危険球の報知に関する機能を一部として有するものの、全体としてゴルフに関する楽音や各種音声等の種々の情報を送受信するための極めて複雑で高価な構成からなるものである。
【０００７】
本願の出願人は上記従来技術に鑑みて、先に、簡略安価な構成の基に、ゴルフプレイ中におけるティーグラウンドでのティーショットの危険球発生に限らず第２打地点以降での危険球発生の事態においても、ゴルフ用カートの発進・停止ボタンと危険球発生の警告報知の危険ボタンとを組み込んで構成されプレイヤーが片手で簡易操作できる小型筐体に収置した無線操作端末の危険ボタンを押下操作するだけで、危険球発生位置から遠くにいる人でも聞き易く、しかも、最適化した危険状態を意味する警告音を的確に他のプレイヤーに報知できるようにしたゴルフ危険球の警告音発呼システムを提案し、特許を取得している（特許第６１７０２２３号）。
【先行技術文献】
【特許文献】
【０００８】
【特許文献１】特開２００４−３５１１５７号公報
【発明の概要】
【発明が解決しようとする課題】
【０００９】
本発明は、上記事情に鑑みてなされたものであり、特許第６１７０２２３号の技術を踏まえ、これに変更、改良を施し、ゴルフプレイ中におけるティーグラウンド等でのティーショット等の危険球発生を片手で簡易操作できる小型筐体に収置した無線操作端末の危険ボタンを押下操作するだけで、最適化した警告音をもって他のプレイヤーに報知でき、かつ、受信ユニット、発音手段の一体構造というシステム構成の簡略化を図ったゴルフ危険球の警告音発呼システムを提供するものである。
【課題を解決するための手段】
【００１０】
本発明のゴルフ危険球の警告音発呼システムは、操作者による操作に応じてゴルフプレイ中における危険球の発生を意味する危険信号を無線送信する無線操作端末と、ゴルフ用のカートに設けた前記危険信号を受信し、「ファー」又はこれに類似する危険を警告する音声情報及び発音条件情報からなる発音情報を生成し出力するカート側の受信ユニットと、前記音声情報、発音条件情報に基づき「ファー」又はこれに類似し発音条件に応じた音声を外部に発呼する発音手段と、を有し、前記カート側の受信ユニットと前記発音手段とを一体型構成としたことを最も主要な特徴とする。
【発明の効果】
【００１１】
請求項１記載の発明によれば、ゴルフプレイ中におけるティーグラウンド等でのティーショット等の危険球発生を無線操作端末の危険ボタンを押下操作するだけで、他のプレイヤーに報知でき、かつ、カート側の受信ユニット、発音手段の一体構造により、これらのカートに対する取り付け作業の簡略、容易性を図ることができるゴルフ危険球の警告音発呼システムを実現し提供することができる。
【００１２】
請求項２記載の発明によれば、ゴルフプレイ中におけるティーグラウンド等でのティーショット等の危険球発生を片手で簡易操作できる小型筐体に収置した無線操作端末の危険ボタンを押下操作するだけで、最適化した警告音をもって他のプレイヤーに報知でき、かつ、カート側の受信ユニット、スピーカの一体構造により、これらのカートに対する取り付け作業の簡略、容易性を図ることができるゴルフ危険球の警告音発呼システムを実現し提供することができる。
【００１３】
請求項３記載の発明によれば、請求項２記載の発明において、バッテリーを、持ち運び可能な肩掛けバック式に構成したことにより、電源供給設備を搭載しないカートを使用する場合においても請求項２記載の発明と同様な効果を奏するゴルフ危険球の警告音発呼システムゴを実現し提供することができる。
【図面の簡単な説明】
【００１４】
【図１】図１は本発明の実施例に係るゴルフ危険球の警告音発呼システムの全体構成を示す概略外観図である。
【図２】図２は本実施例に係るゴルフ危険球の警告音発呼システムにおける無線操作端末の構成を示す概略平面図である。
【図３】図３は本実施例に係るゴルフ危険球の警告音発呼システムにおける無線操作端末の構成を示す概略ブロック図である。
【図４】図４は本実施例に係るゴルフ危険球の警告音発呼システムにおけるスピーカと一体型構成としたカート側の受信ユニットの概略ブロック図である。
【図５】図５はゴルフホールにおける危険球発生時のゴルフ球の飛球軌跡を示す説明図である。
【図６】図６は本実施例に係るゴルフ危険球の警告音発呼システムにおけるスピーカと一体型構成としたカート側の受信ユニットを写真形態で示す説明図である。
【発明を実施するための形態】
【００１５】
本発明は、ゴルフプレイ中におけるティーグラウンド等でのティーショット等の危険球発生を片手で簡易操作できる小型筐体に収置した無線操作端末の危険ボタンを押下操作するだけで、ゴルフ場の自然環境に対応して最適化した警告音をもって他のプレイヤーに報知でき、かつ、受信ユニット、発音手段の一体構造というシステム構成の簡略化を図った構成からなるゴルフ危険球の警告音発呼システムを実現、提供するという目的を、操作者による操作に応じてゴルフプレイ中における危険球の発生を意味する音声を外部に発呼するゴルフ危険球の警告音発呼システムであって、操作者が片手で操作可能に構成した小型の筐体を形成し、この筐体に、無線操作端末自体の動作制御行う端末制御部と、カート側の受信側無線送受信との間で無線交信する端末無線情報送受信部と、危険球発生時に操作者が操作する危険ボタンと、を具備し、前記危険ボタンの操作に応じて端末無線情報送信部から危険信号を無線送信可能な無線操作端末と、ゴルフ用のカートに設けられ、前記無線操作端末から前記危険信号を受信する受信側無線送受信部と、「ファー」又はこれに類似する危険を警告する複数種の音声を発生するための音声情報を記憶する音声情報記憶部と、前記複数種の音声情報を切り替える切り替えスイッチと、前記音声情報に関する発音条件情報であって、発呼回数、発呼時間、発呼音量からなる発音条件情報を記憶する発音条件情報記憶部と、発呼すべき音声情報の複数種の主周波数帯域情報を記憶する主周波数帯域情報記憶部と、発呼すべき音声情報に付加する大小に異なる複数種の残響音情報を記憶する残響音情報記憶部と、前記危険信号の受信時に、前記切り替えスイッチにて選定される発呼すべき音声情報についての発音条件情報を決定し、かつ、発呼すべき音声情報の主周波数帯域、付加する主周波数帯域の大小を決定する発音情報生成処理部と、前記発音情報生成処理部による処理結果に応じた「ファー」又はこれに類似する危険を警告する決定された主周波数帯域を持ち決定された残響音情報が付加された前記音声情報、及び、前記発音条件情報からなる発音情報を出力する発音情報出力部と、を有するカート側の受信ユニットと、前記発音情報出力部から伝送される音声情報、発音条件情報を基に前記「ファー」又はこれに類似する音声を前記発音条件で危険球の警告音として外部に発呼するホーン型のスピーカと、を有し、前記カート側の受信ユニットと前記スピーカとを一体型とした構成により実現した。
【実施例】
【００１６】
以下、図面を参照して本発明の実施例に係るゴルフ危険球の警告音発呼システムについて詳細に説明する。
【００１７】
本実施例に係るゴルフ危険球の警告音発呼システム１は、図１に示すように、ゴルフ場におけるゴルフプレイ時に使用するカート（ゴルフカート）２に搭載したカート２側の防滴仕様とした受信ユニット３と、前記受信ユニット３と一体型構成とした発音手段である指向性の良い例えばホーン型で防滴仕様のスピーカ５と、前記受信ユニット３との間で無線にて各種信号の送受信を行う無線操作端末（リモートコントローラ）２１と、を有している。
【００１８】
前記カート２側の受信ユニット３及びスピーカ５は、前記カート２の例えば天板部２ａに前記スピーカ５をカート２の先方に向けた配置で取り付け具４を用いて一体構成として取り付けている。
【００１９】
前記無線操作端末２１は、図２、図３に示すように、片手操作可能に構成した小型で日常防水仕様とした筐体２１Ａを具備し、この筐体２１Ａに、前記無線操作端末２１自体の動作制御を行う端末制御部２２と、受信側無線送受信部８との間で例えば４２６ＭＨｚ帯の無線周期数で無線交信する端末無線情報送受信部２３と、危険球発生時に例えば同伴プレイヤー（又はキャディが居る場合にはキャディ）が操作する危険ボタン２４と、ペアリング処理時に動作する赤色ＬＥＤ２５、及び青色ＬＥＤ２６と、前記無線操作端末２１において所要の電力供給を行う電池２７（例えばコイン型リチウムイオン電池）と、を組み込んでいる。
【００２０】
前記受信ユニット３は、図４に示すように、本実施例に係るゴルフ危険球の警告音発呼システム１全体の動作を実行する受信側制御部６と、本実施例に係るゴルフ危険球の警告音発呼システム１全体の動作を実行するための動作プログラム、前記無線操作端末２１とのペアリングを行うためのペアリングプログラム、発音情報の周波数帯域調整処理プロクラム、発音情報に対する大小にわたる残響付加処理プログラム等を格納したプログラムメモリ７と、前記無線操作端末２１と無線交信する受信側無線送受信部８と、例えば「ファー」又はこれに類似する危険を警告するための複数種の音声を発音するための音声情報を記憶する音声情報記憶部１０と、複数種の音声情報のいずれかを選択するための切り替えスイッチ１０Ａと、前記音声情報に関する発呼回数、発呼時間、発呼音量（後述するデジタルアンプのゲイン）等を発音条件情報として記憶する発音条件情報記憶部１１と、発音情報の主周波数帯域（高音域、中音域、低音域等）を複数種記憶する主周波数帯域情報記憶部１２と、発音情報に対して程度の異なる残響を付加する複数種の残響音情報（残響時間の異なる複数種の残響音を付加する情報）を記憶する残響音情報記憶部１３と、前記切り替えスイッチ１０Ａにて選定される音声情報に関して、発音条件情報を決定し、更に、主周波数帯域情報記憶部１２に記憶した主周波数帯域情報のうちのいずれかを決定し、残響音情報記憶部１３に記憶した残響音情報のうちのいずれかを決定して、これらを基に実際に発音させる音声についての発音情報を生成する発音情報生成処理部１４と、生成した発音情報を記憶する発音情報記憶部１５と、前記発音情報を出力する発音情報出力部１６と、前記発音情報を増幅して前記スピーカ５に伝送し発音に供するデジタルアンプ１７と、前記端末無線情報送受信部２３との間のペアリング処理を実行するペアリング処理部１８と、各種設定情報等の入力を行う入力操作部１９と、カート２側の受側ユニット３における所要の電力供給を行うバッテリー３０と、を有している。
【００２１】
なお、必要に応じて前記カート２の周辺領域における温度、湿度、照度、風量、雨量、周囲音からなる環境条件情報を検知する環境複合型センサ９を付加し、この環境複合型センサ９の検知信号を基に、発音条件情報を決定するように構成することもできる。
【００２２】
また、前記バッテリー３０については、前記カート側の受信ユニット３自体に搭載する場合の他、例えば持ち運び可能な肩掛けバック式のバッテリーとし、手押しカートやエンジン式カート等の電源供給設備を搭載しないカートを使用する場合においてもむ本実施例に係るゴルフ危険球の警告音発呼システム１を機能させるように構成することもできる。
【００２３】
前記受信側無線送受信部８と端末無線情報送受信部２３との間の無線通信方式としてはＢｌｕｅｔｏｏｔｈ（登録商標）通信、Ｂｌｕｅｔｏｏｔｈ  ＬＥ（Ｂｌｕｅｔｏｏｔｈ  Ｌｏｗ  Ｅｎｅｒｇｙ）通信、赤外線通信等、種々の方式があり、本実施例においては特に限定するものではないが、前記危険ボタン２４を押してから、発呼されるまでの時間が迅速な（例えば０．５秒以内等）、すなわち、Ｌｏｗ  Ｄｅｌａｙの無線方式が好ましい。
【００２４】
次に、本実施例に係るゴルフ危険球の警告音発呼システム１の危険球発生時における動作について図５をはじめとする各図を参照して説明する。
【００２５】
本実施例に係るゴルフ危険球の警告音発呼システム１においては、あるホールにおけるゴルフプレイ開始に先立って、公知の技術ではあるが前記受信側無線送受信部８と端末無線情報送受信部２３との間のペアリング処理を実行する。
【００２６】
すなわち、前記受信側無線送受信部８、端末無線情報送受信部２３を各々動作可能な状態とする。このとき、無線操作端末２１の赤色ＬＥＤ２５が赤色発光する。
【００２７】
次に、前記無線操作端末２１を受信ユニット３に向け、危険ボタン２４を例えば３秒間長押しする。
【００２８】
これにより、前記端末無線情報送受信部２３と受信側無線送受信部８との間で無線交信が行われ、ペアリングプログラムに基づくペアリング処理部１８の動作で受信側無線送受信部８と端末無線情報送受信部２３とがペアリングされ、赤色ＬＥＤ２５が消灯し青色ＬＥＤ２６が青色発光する。
【００２９】
これ以降、端末無線情報送受信部２３から受信側無線送受信部８への無線信号の送信が何時でも可能となる。
【００３０】
ゴルフ場のあるホールにおけるゴルフプレイが開始され、例えばあるプレイヤーのミスショットにより図５に示すような隣接ホールに飛び込むようなゴルフ球（危険球）Ｂが発生した場合には、前記プレイヤー以外の同伴プレイヤー（又はキャディ）が自己の手に持った無線操作端末２１の危険ボタン２４を１回押下する。
【００３１】
危険ボタン２４が押下されると、その押下信号が端末制御部２２の制御の基に危険信号として端末無線情報送受信部２３から前記カート２における受信ユニット３に設けた受信側無線送受信部８に無線送信され、更に受信側制御部６に伝送される。
【００３２】
前記無線操作端末２１からの危険信号を受信した受信ユニット３においては、前記危険信号を基に受信側制御部６の制御により以下に述べる動作を実行する。
【００３３】
すなわち、前記環境複合型センサ９を備える構成の場合には、カート２の周辺領域における温度、湿度、照度、風量、雨量、周囲音からなる環境条件情報を検知し、検知信号を受信側制御部６に伝送する。
【００３４】
なお、前記受信ユニット３の音声情報記憶部１０においては、前記切り替えスイッチ１０Ａの操作で予め複数種の音声情報のいずれか、例えば「ファー」音を発するための音声情報が選定されているものとする。
【００３５】
前記発音情報生成処理部１４は、環境複合型センサ９の検知信号を基に、又は前記受信側制御部６の制御の基に、前記切り替えスイッチ１０Ａにて選定される音声情報に関して、発音条件情報記憶部１１に記憶している複数種の発音条件情報のうちからいずれかの発音条件情報を決定し、更に、主周波数帯域情報記憶部１２に記憶した主周波数帯域情報のうちのいずれかを決定し、更に、残響音情報記憶部１３に記憶した残響音情報のうちのいずれかを決定して、これらを基に実際に発音させる音声についての発音情報を生成する。
生成した発音情報は、前記発音情報記憶部１５に記憶されるとともに、発音情報出力部１６からデジタルアンプ１７に伝送され、デジタルアンプ１７は前記発音情報を増幅して前記スピーカ５に伝送し発音に供する。
【００３６】
これにより、前記スピーカ５が例えば「ファー」という音声（警告音）を大音量で発呼し、隣接ホールに存在する他のプレイヤーに危険状態を報知する。
【００３７】
このようにして、ゴルフ場のあるホールにおいて隣接ホールに飛び込むようなゴルフ球（危険球）Ｂが発生した場合に、前記無線操作端末２１の危険ボタン２４を１回押下するだけの極めて簡略な操作だけで、隣接ホールに存在する他のプレイヤーに危険状態を報知し注意を喚起することができ、ゴルフプレイ時の安全性向上に資することができる。
【００３８】
上述した例では、「ファー」という音声（警告音）を発呼する場合について説明したが、当該「ファー」という音声以外にもこれに類似した「危険球」「危ない」等の類似した音声（警告音）を発呼するようにすることも可能である。
【００３９】
また、「ファー」又はこれに類似する音声からなる警告音の発呼回数、発呼時間、発呼音量、警告音の主周期数帯域（低周波数、中周波数、高周波数からなる各周期数帯域）や付加する残響音の大小等も種々に変更可能であり、前記環境複合型センサ９を設けている場合にはゴルフ場の自然環境（晴天、曇天、風の強弱や降雨の程度等）に対応して最適化した警告音をもってより的確に他のプレイヤーに対して危険状態を報知することもできる。
【００４０】
上述した例では、隣接ホールに飛び込むような危険球が発生した場合の動作について説明したが、これに限らず、同一ホールにおいて先行するグループに打ち込むような危険球が発生した場合においても、上述した場合と同様な簡略な操作だけで、先行するグループに向けて例えば「ファー」又はこれに類似する音声を大音量で発呼することにより、先行するグループのプレイヤーに危険状態を報知し注意を喚起することができ、この場合もゴルフプレイ時の安全性向上に資することができる。
【００４１】
また、本実施例に係るゴルフ危険球の警告音発呼システム１によれば、前記カート２に設けた一体構成のスピーカ５、受信ユニット３と、前記無線操作端末２１との組み合わせにより構成しているので、ティーグラウンドでのティーショットにおける危険球の発生に限らず、第２打地点、第３打地点等での危険球の発生という事態にも上述した場合と同様に速やかに対応してゴルフプレイ時のプレイヤーの安全性向上に資することができる。
【００４２】
更にまた、本実施例に係るゴルフ危険球の警告音発呼システム１によれば、前記受信ユニット３及びスピーカ５と、前記無線操作端末２１との組み合わせからなるシテム構成を、ゴルフ場の各ホールを走行しているすべてのカート２に採用することで、ゴルフ場の各ホールで各々ゴルフプレイを行っている各グループのプレイヤー全員の安全性向上に資することができる。
【００４３】
図６は、一体構造とした前記スピーカ５、受信ユニット３、及び電源ケーブル３１の実体的構成例を写真形態で示すものである。なお、図中の符号３２はアンテナである。
【００４４】
このように、前記スピーカ５、受信ユニット３を一体構造としたことにより、これらのカート２に対する取り付け作業の簡略、容易性を図ることができ、特に多数のカート２に対して前記スピーカ５、受信ユニット３をそれぞれ取り付ける場合の利便性が向上する。
【００４５】
なお、前記スピーカ５、受信ユニット３のカート２に対する取り付け位置は図１に示す場合に限定されるものではなく、天板部２ａの別の位置に取り付けたり、カート２の適宜の位置に取り付けたりすることも可能である。
【産業上の利用可能性】
【００４６】
本発明は、上述した場合の他、例えばゴルフ練習場における危険球報知手段や野球場におけるファールボールの危険報知手段等々として応用可能である。
【符号の説明】
【００４７】
１    ゴルフ危険球の警告音発呼システム
２    カート
２ａ  天板部
３    受信ユニット
４    取り付け具
５    スピーカ
６    受信側制御部
７    プログラムメモリ
８    受信側無線送受信部
９    環境複合型センサ
１０    音声情報記憶部
１０Ａ  切り替えスイッチ
１１    発音条件情報記憶部
１２    主周波数帯域情報記憶部
１３    残響音情報記憶部
１４    発音情報生成処理部
１５    発音情報記憶部
１６    発音情報出力部
１７    デジタルアンプ
１８    ペアリング処理部
１９    入力操作部
２１    無線操作端末
２１Ａ  筐体
２２    端末制御部
２３    端末無線情報送受信部
２４    危険ボタン
２５    赤色ＬＥＤ
２６    青色ＬＥＤ
２７    電池
３０    バッテリー
３１    電源ケーブル
３２    アンテナ
Ｂ    ゴルフ球
【図１】
2019096052.tif 000003
【図２】
2019096052.tif 000004
【図３】
2019096052.tif 000005
【図４】
2019096052.tif 000006
【図５】
2019096052.tif 000007
【図６】
2019096052.tif 000008